(57)【特許請求の範囲】
【請求項１】
生体組織の測定対象部位に照射光を照射して測定対象部位から放射される放射光を受光するためのプローブの先端部が挿入される開口部を有し、前記開口部に連通し、前記開口部から挿入された前記先端部にそれぞれ既知で相互に異なる光学的環境を与える内部空間を有する補正用測定環境構成物であって、
前記内部空間内で一の前記光学的環境に置かれた前記先端部の挿入方向に沿った当該先端部の移動又は部品の移動に従って、前記内部空間内で一の前記光学的環境に置かれた前記先端部に対向する隔壁部材が開放されて、異なる一の前記光学的環境を前記先端部に与えるプローブの補正用測定環境構成物。
【請求項２】
前記内部空間内で一の前記光学的環境に置かれた前記先端部を前進させて前記隔壁部材を突き押させることによって、前記隔壁部材が開放されて異なる一の前記光学的環境を前記先端部に与える請求項１に記載のプローブの補正用測定環境構成物。
【請求項３】
前記内部空間内で一の前記光学的環境に置かれた前記先端部の逆側から前記部品に前記隔壁部材を突き押させることによって、前記隔壁部材が開放されて異なる一の前記光学的環境を前記先端部に与える請求項１に記載のプローブの補正用測定環境構成物。
【請求項４】
生体組織の測定対象部位に照射光を照射して測定対象部位から放射される放射光を受光するためのプローブの先端部が挿入される開口部を有し、前記開口部に連通し、前記開口部から挿入された前記先端部にそれぞれ既知で相互に異なる光学的環境を与える内部空間を有する補正用測定環境構成物であって、
前記内部空間内で一の前記光学的環境に置かれた前記先端部の側方に前記先端部によって弾性変形を伴って押し退けられた隔壁部材が、前記先端部の後退移動によりその弾性回復力により展張して前記先端部の前方を遮蔽することによって、異なる一の前記光学的環境を前記先端部に与えるプローブの補正用測定環境構成物。
【請求項５】
少なくとも前記開口部に前記先端部が挿入された状態にて前記内部空間への外光の入射を遮る遮光性を有することを特徴とする請求項１から請求項４のうちいずれか一に記載のプローブの補正用測定環境構成物。
【請求項６】
前記光学的環境のうちいずれか１又は２以上のそれぞれについて補正用測定の対象となる所定の測定対象物質を内蔵することを特徴とする請求項１から請求項５のうちいずれか一に記載のプローブの補正用測定環境構成物。
【請求項７】
前記隔壁部材が補正用測定の対象となる所定の測定対象物質から構成されたことを特徴とする請求項１から請求項６のうちいずれか一に記載のプローブの補正用測定環境構成物。
【請求項８】
前記開口部から挿入された前記先端部を所定の位置でさらなる挿入を規制する係止構造が構成されており、当該係止構造による規制状態で前記先端部が一の前記光学的環境に置かれることを特徴とする請求項１から請求項７のうちいずれか一に記載のプローブの補正用測定環境構成物。
【請求項９】
前記係止構造は、前記先端部を所定の係止力をもってさらなる挿入を規制するとともに前記所定の係止力を超える挿入力により前記先端部の前進を許容して、異なる一の前記光学的環境を前記先端部に与えるための前記先端部の移動を許容することを特徴とする請求項８に記載のプローブの補正用測定環境構成物。
【請求項１０】
請求項１から請求項９のうちいずれか一に記載のプローブの補正用測定環境構成物と、
生体組織の測定対象部位に照射光を照射して測定対象部位から放射される放射光を受光するためのプローブと、を同一の包装体内に包装したプローブ包装物。
【請求項１１】
前記プローブの前記先端部が前記開口部に挿入されて一の前記光学的環境に置かれた状態で前記包装体内に包装されてなる請求項１０に記載のプローブ包装物。
【発明の詳細な説明】
【技術分野】
【０００１】
本発明は、生体組織の測定対象部位に照射光を照射して測定対象部位から放射される放射光を受光するための光学系を備えて当該放射光を測定するためのプローブに関する。
【背景技術】
【０００２】
従来、生体組織の測定対象部位へ励起光などの照射光を照射し、この照射光によって生体組織や、予め生体に注入しておいた薬物から発生する蛍光などの放射光を検出する特殊診断プローブが開発されており、生体組織の変性や癌等の疾患状態（例えば、疾患の種類や浸潤範囲）の診断に用いられている。
このようなプローブには、光源装置からの照射光を導光して生体の測定対象部位に照射し病変部から放射される放射光を受光し、検出器に導光するために光ファイバ、レンズ、プリズム等の光学系が構成される。
【０００３】
このようなプローブを用いて正確な光学測定による診断を行うためには、以下に示す数種類の補正のうち適宜必要なものを行う必要がある。
【０００４】
まず、第１種の補正として、プローブ、光源及び検出器の組み合わせによる波長ごとの光強度や検出感度のばらつきを補正することが求められる。そのための手法として、反射率スペクトルや発光スペクトルといった光学特性が既知の物質を測定対象とし、取得した結果が既知の光学特性と対応する様に、光学特性に関わる装置の設定内容又は検出器の検出信号を処理する計算処理内容の変更によって補正を行うことが一般的である。
この測定を行う際には、測定対象の光学応答を正確に検出する必要があるため、室内光等が迷光として検出器に入射することを防ぐことが必要である。
【０００５】
第２種の補正として、例えばレンズや光ファイバ端面からの反射光や発光といった、プローブの内部構成に由来する反射光や発光が検出器に入射する場合には、検出した光の中で、生体組織から発せられた光と内部構成由来の迷光とを区別することも必要となる。このためには、あらかじめ内部構成由来の迷光の強度スペクトルを単独で取得しておくことが有効である。
この場合、室内光等の迷光を防ぐとともに、プローブから出射された光のプローブ以外の物質からの反射光又は拡散光、またはプローブ以外の物質からの発光がプローブに入射することを防ぐ必要がある。
【０００６】
また、これら以外の補正として、第１種および第２種の補正と同様の構成をとるが、スペクトル形状の測定は必要なく、単に光強度のみを測定し、それに応じて、光学特性に関わる装置の設定内容又は検出器の検出信号を処理する計算処理内容の変更によって補正を行う場合もある。これらのケースは、それぞれ第１種、第２種の補正用測定からの派生とみなせる。
【０００７】
上記の補正用測定は、単に装置の校正や得られた結果の訂正のためのみに用いられるものではなく、装置の経時劣化や故障を判定する目的にも利用可能である。
【０００８】
光学測定によって体内診断を行うプローブでは、前述のように一種類以上の補正を行うことが必要であり、特に、暗室等の特別な環境ではなく、室内照明下で簡便に行えることが望ましい。このような作業は、処置の前段階で行なわれることになるが、医療現場において、作業者に、複雑、煩雑、面倒な作業を強いる事は出来る限り避けたいという要望がある。
【０００９】
特許文献１には、内視鏡用カラーバランス調整具が記載されている。この内視鏡用カラーバランス調整具は、一端に内視鏡の先端部が挿入可能な内部空間に連通する開口部を有し、他端に閉じた構造を有する、外部からの光を遮る管体であって、前記管体の内面は、内視鏡の先端部の挿入軸に略平行に設けられた内側部材（同文献中１０３ｃ）と、内視鏡の先端部が挿入された際に、対物レンズの視野領域内に入るように設けられた端面部材（同文献中１０２ｃ）とからなり、内側部材は、光を吸収する光吸収面を有し、端面部材１０２ｃは、蛍光を発する蛍光発生面を有する。
特許文献２には、内視鏡用の色調整治具が記載されている。この色調整治具として、柱状の形状をなす治具であって、治具の一端部に形成された第１開口部と、前記治具の他端部に形成された第２開口部と、第１開口部と第２開口部とを貫通し、電子内視鏡のカラースコープの先端部が挿入可能な中空部と、第２開口部近傍に移動可能に支持された蓋体とを備え、蓋体は、一方の面にホワイトバランス調整用チャート、他方の面に色調整用チャートが載置され、蓋体の移動により、ホワイトバランス調整用チャート、または色調整用チャートのいずれかが中空部を介して第１開口部から観察可能であり、蓋体の移動は、蓋体の中心を通り第２開口部に軸支された回動軸を中心とした回動によるものが提案されている。
【先行技術文献】
【特許文献】
【００１０】
【特許文献１】特開２００６−２２３５９１号公報
【特許文献２】特開２００５−４０２１０号公報
【発明の概要】
【発明が解決しようとする課題】
【００１１】
補正を精度良く実施する為に、補正用測定を１種類ではなく複数種類実施する形態もあり得る。しかし、この形態は補正の精度が向上する反面、計測装置に対して補正用測定環境の切り替えを行う必要があり、使用者の作業性が悪くなることと、誤った手順をとることで補正が正常に行われないリスクが発生する。複数種類の補正用測定環境をいかに作業性良く確実に切り替え、精度良く補正を実施できるかが重要である。
【００１２】
本発明は以上の従来技術における問題に鑑みてなされたものであって、生体組織の測定対象部位に照射光を照射して測定対象部位から放射される放射光を受光するための光学系を備えて当該放射光を測定するためのプローブを用いた光学測定システムに、補正用測定時にプローブ先端部に既知の光学的環境を与える補正用測定環境構成物を提供するにあたり、単一の当該補正用測定環境構成物により複数種類の既知の光学的環境を簡便な操作により確実に手際よく与えることができ、その結果、精度良く補正を実施することができるようにすることを課題とする。
【課題を解決するための手段】
【００１３】
以上の課題を解決するための請求項１記載の発明は、生体組織の測定対象部位に照射光を照射して測定対象部位から放射される放射光を受光するためのプローブの先端部が挿入される開口部を有し、前記開口部に連通し、前記開口部から挿入された前記先端部にそれぞれ既知で相互に異なる光学的環境を与える内部空間を有する補正用測定環境構成物であって、
前記内部空間内で一の前記光学的環境に置かれた前記先端部の挿入方向に沿った当該先端部の移動又は部品の移動に従って、前記内部空間内で一の前記光学的環境に置かれた前記先端部に対向する隔壁部材が開放されて、異なる一の前記光学的環境を前記先端部に与えるプローブの補正用測定環境構成物である。
【００１５】
請求項２記載の発明は、前記内部空間内で一の前記光学的環境に置かれた前記先端部を前進させて前記隔壁部材を突き押させることによって、前記隔壁部材が開放されて異なる一の前記光学的環境を前記先端部に与える請求項１に記載のプローブの補正用測定環境構成物である。
【００１６】
請求項３記載の発明は、前記内部空間内で一の前記光学的環境に置かれた前記先端部の逆側から前記部品に前記隔壁部材を突き押させることによって、前記隔壁部材が開放されて異なる一の前記光学的環境を前記先端部に与える請求項１に記載のプローブの補正用測定環境構成物である。
【００１７】
請求項４記載の発明は、生体組織の測定対象部位に照射光を照射して測定対象部位から放射される放射光を受光するためのプローブの先端部が挿入される開口部を有し、前記開口部に連通し、前記開口部から挿入された前記先端部にそれぞれ既知で相互に異なる光学的環境を与える内部空間を有する補正用測定環境構成物であって、
前記内部空間内で一の前記光学的環境に置かれた前記先端部の側方に前記先端部によって弾性変形を伴って押し退けられた隔壁部材が、前記先端部の後退移動によりその弾性回復力により展張して前記先端部の前方を遮蔽することによって、異なる一の前記光学的環境を前記先端部に与えるプローブの補正用測定環境構成物である。
【００１８】
請求項５記載の発明は、少なくとも前記開口部に前記先端部が挿入された状態にて前記内部空間への外光の入射を遮る遮光性を有することを特徴とする請求項１から請求項４のうちいずれか一に記載のプローブの補正用測定環境構成物である。
【００１９】
請求項６記載の発明は、前記光学的環境のうちいずれか１又は２以上のそれぞれについて補正用測定の対象となる所定の測定対象物質を内蔵することを特徴とする請求項１から請求項５のうちいずれか一に記載のプローブの補正用測定環境構成物である。
【００２０】
請求項７記載の発明は、前記隔壁部材が補正用測定の対象となる所定の測定対象物質から構成されたことを特徴とする請求項１から請求項６のうちいずれか一に記載のプローブの補正用測定環境構成物である。
【００２１】
請求項８記載の発明は、前記開口部から挿入された前記先端部を所定の位置でさらなる挿入を規制する係止構造が構成されており、当該係止構造による規制状態で前記先端部が一の前記光学的環境に置かれることを特徴とする請求項１から請求項７のうちいずれか一に記載のプローブの補正用測定環境構成物である。
【００２２】
請求項９記載の発明は、前記係止構造は、前記先端部を所定の係止力をもってさらなる挿入を規制するとともに前記所定の係止力を超える挿入力により前記先端部の前進を許容して、異なる一の前記光学的環境を前記先端部に与えるための前記先端部の移動を許容することを特徴とする請求項８に記載のプローブの補正用測定環境構成物である。
【００２３】
請求項１０記載の発明は、請求項１から請求項９のうちいずれか一に記載のプローブの補正用測定環境構成物と、
生体組織の測定対象部位に照射光を照射して測定対象部位から放射される放射光を受光するためのプローブと、を同一の包装体内に包装したプローブ包装物である。
【００２４】
請求項１１記載の発明は、前記プローブの前記先端部が前記開口部に挿入されて一の前記光学的環境に置かれた状態で前記包装体内に包装されてなる請求項１０に記載のプローブ包装物である。
【発明の効果】
【００２５】
本発明の補正用測定環境構成物によれば、プローブの先端部が挿入される開口部を有し、前記開口部に連通し、前記開口部から挿入された前記先端部にそれぞれ既知で相互に異なる光学的環境を与える内部空間を有し、前記内部空間内で一の前記光学的環境に置かれた前記先端部の挿入方向に沿った当該先端部の移動又は部品の移動に従って、異なる一の前記光学的環境を前記先端部に与えるので、単一の当該補正用測定環境構成物により複数種類の既知の光学的環境を簡便な操作により確実に手際よく与えることができ、その結果、精度良く補正を実施することができるという効果がある。
【図面の簡単な説明】
【００２６】
【図１】本発明の実施形態に係るプローブの収納状態を示す斜視図である。
【図２】本発明の実施形態に係るプローブの接続状態を示す斜視図である。
【図３】各種プローブの基本構成を示す側視模式図である。
【図４】本発明の第１実施形態に係る補正用測定環境構成物の構成部品を示す分解斜視図である。
【図５】本発明の第１実施形態に係る補正用測定環境構成物及びこれに挿入されたプローブ先端部の斜視図である。
【図６】本発明の第１実施形態に係る補正用測定環境構成物及びこれに挿入されたプローブ先端部の軸方向断面図であり、既知の光学的環境が構成される。
【図７】本発明の第１実施形態に係る補正用測定環境構成物及びこれに挿入されたプローブ先端部の軸方向断面図であり、図６とは異なる既知の光学的環境が構成される。
【図８】本発明の第２実施形態に係る補正用測定環境構成物の構成部品を示す分解斜視図である。
【図９】本発明の第２実施形態に係る補正用測定環境構成物及びこれに挿入されたプローブ先端部の斜視図である。
【図１０】本発明の第２実施形態に係る補正用測定環境構成物及びこれに挿入されたプローブ先端部の軸方向断面図であり、既知の光学的環境が構成される。
【図１１】本発明の第２実施形態に係る補正用測定環境構成物及びこれに挿入されたプローブ先端部の軸方向断面図であり、図１０とは異なる既知の光学的環境が構成される。
【図１２】本発明の第３実施形態に係る補正用測定環境構成物の外観を示す斜視図である。
【図１３】本発明の第３実施形態に係る補正用測定環境構成物及びこれに挿入されたプローブ先端部の斜視図である。
【図１４】本発明の第３実施形態に係る補正用測定環境構成物及びこれに挿入されたプローブ先端部の軸方向断面図であり、既知の光学的環境が構成される。
【図１５】本発明の第３実施形態に係る補正用測定環境構成物及びこれに挿入されたプローブ先端部の軸方向断面図であり、図１４とは異なる既知の光学的環境が構成される。
【発明を実施するための形態】
【００２７】
以下に本発明の一実施形態につき図面を参照して説明する。以下は本発明の一実施形態であって本発明を限定するものではない。以下の実施形態においては、蛍光測定用のプローブを例として説明する。
【００２８】
〔第１実施形態〕
まず、本発明の第１実施形態につき図１〜図７を参照して説明する。
図１に、本実施形態のプローブ１０と、包装用トレイ３０とが示される。図１及び図２に、本実施形態の光学測定システム１の主要部分が示される。光学測定システム１は、プローブ１０と、ベースユニット２０のほか、画像表示装置や操作入力装置を含んで構成される。プローブ１０は、先端部１１と、コネクタ部１２と、ケーブル部１３とから構成される。
プローブ１０は滅菌処理され、図１に示すように、包装用トレイ３０に収納され、さらに図示しない包装袋によって密閉されて包装され、医療現場等の使用者に提供される。
【００２９】
図４〜図７に本発明第１実施形態の補正用測定環境構成物６０が示される。補正用測定環境構成物６０もまた滅菌処理され、上記包装に同胞される。図１に示す包装用トレイ３０の部分３１又は部分３２に補正用測定環境構成物６０用の収納部が設けられ、これに補正用測定環境構成物６０は収納される。
補正用測定環境構成物６０が部分３１に収納される場合は、補正用測定環境構成物６０はプローブ１０と分離して収納される。補正用測定環境構成物６０が部分３２に収納される場合は、補正用測定環境構成物６０にプローブ１０の先端部１１が図６に示す状態まで挿入されて収納される。
【００３０】
使用者は、包装を解いてプローブ１０のコネクタ部１２を図２に示すように、ベースユニット２０の接続部２１に接続する。
ベースユニット２０には、照射光の光源装置と、生体組織等からの放射光の光強度を検出するための検出器と、演算処理装置とが備えられる。
【００３１】
（プローブの基本構成例）
ここで、プローブの基本構成例につき説明する。
光学測定によって体内診断を行うためのプローブは、その一端が体内に挿入され、生体組織に光を照射して生体組織によって反射された又は生体組織から発せられた光を取り込む光学系を有し、他端が光源装置及び検出器を有する装置（本実施形態においてはベースユニット２０）に接続される機構を有する構成をとる。
プローブは、光学測定用の励起光や生体組織が発した光を導光するための一本以上の光ファイバを有する。プローブに構成される最も単純な光学系は、図３(a)に示した一本の導光用光ファイバ１４ａから成るものである。これに加えて、レンズやプリズム等の光学素子を有する場合もある。具体的には、図３(a-1)や図３(b)のように、集光効率を上げるためにファイバ先端にレンズ１５を挿入した構成や、図３(c)のように、光の進行方向を変え、導光用光ファイバ１４ｄと略平行な生体組織５０を観察・測定するためにプリズム又はミラーである光学部品１６を挿入した構成である。図３(c)に示すように、導光用光ファイバ１４ｄの軸と垂直な方向に光を出射するプローブには、一般に導光用光ファイバ１４ｄの先にプリズム又はミラーである光学部品１６を配置し、光線を反射させてその進行方向を変える方法が適用されている。ここで、プリズム又はミラーである光学部品１６の反射面の形状は、平面、放物面および球面が一般的であるが、これらに限らない。
また、図３(b)のように、生体組織５０に照射光を照射する照射光導光用光ファイバ１４ｂと生体組織５０からの放射光を受光する信号光導光用光ファイバ１４ｃに機能を分担したり、図３(d)のように、測定面積を増やす、又は集光効率若しくは集光量を高めたりする目的で、複数本の導光用光ファイバ１４ｅ，１４ｆ，１４ｇ・・・を用いる構成も採用されることがある。
【００３２】
一般にこのようなプローブでは、一回の測定で生体組織のある一点の測定を行うものと、同時に複数点の測定を行うものとに大別されるが、本実施形態ではその両者を区別せずに合わせて説明する。想定される典型的なプローブ構成例は、図３に示した通りである。
プローブの基端側は、前述の光ファイバを、光源装置及び検出器を有する装置に接続、固定するための機構を有する。例えば、SMA、FC、ST、LC及びSC等の通常光ファイバを接続するための機構が用いられるが、これらに限らない。光ファイバが複数本あり、そのコネクタも複数となる場合は、個々のコネクタがケース又はカバーの中に設置されて固定され、その全体が図１及び図２に示したコネクタ部１２に相当することとなる。
プローブ全体及び補正用測定環境構成物６０は、滅菌された状態で使用者に提供されるため、用いられる材料は、必要な滅菌作業に耐えるものが選択される。
【００３３】
（補正用測定環境構成物の構成）
ここで、本実施形態の補正用測定環境構成物６０につき図４〜図７を参照して詳細に説明する。
補正用測定環境構成物６０は、第１部品６１と、第２部品６２と、Ｏリング６３と、第１シート６４と、第２シート６５とから構成される。
第１部品６１は、プローブ保持孔６１ａと、これより大径のＯリング保持孔６１ｂとを中心軸Ａ上に連続させた段付き貫通孔を有した筒状体である。
第２部品６２は、部品連結孔６２ａと、これより小径の底穴６２ｂとを中心軸Ａ上に連続させた段付き穴を有したもので、外形は任意である。部品連結孔６２ａの一端は外に開口し、部品連結孔６２ａと反対側の底穴６２ｂの一端は塞がれて底面を構成している。
底穴６２ｂの底面に第２シート６５が接着により設置される。
部品連結孔６２ａ側から底穴６２ｂの開口端を塞ぐように第１シート６４が配置され、第１シート６４の周縁部が段差部分の面６２ｃに接着により固定される。
Ｏリング６３がＯリング保持孔６１ｂに圧入された後、第１部品６１のＯリング保持孔６１ｂが形成された端部が部品連結孔６２ａに挿入されて、第１部品６１と、第２部品６２と、Ｏリング６３とが一体に組み立てられる。プローブ保持孔６１ａのＯリング保持孔６１ｂと逆側の開口部は、プローブ１０の先端部１１が挿入される開口部６６を構成する。部品連結孔６２ａは、第１部品６１の外径に対して嵌め合い公差を持った内径で構成されて、第１部品６１と第２部品６２とは、しまり嵌めにより固定される。又は、接着により第１部品６１と第２部品６２とを固定してもよい。
【００３４】
第１部品６１及び第２部品６２は、成型により製作され、開口部６６に先端部１１が挿入された図６及び図７に示す状態にて内部空間への外光の入射を遮る遮光性を獲得するため、また先端部１１から照射された光の散乱によるノイズを防ぐために、黒色の成形材料が用いられる。
【００３５】
第１シート６４は、先端部１１に図６に示す既知の光学的環境が与えられる状態において、本システム１による補正用測定の対象となる所定の測定対象物質で構成される。
また第１シート６４は、図６に示す光学的環境に置かれた先端部１１に対向する隔壁部材に相当する。
第２シート６５は、先端部１１に図７に示す既知の光学的環境が与えられる状態において、本システム１による補正用測定の対象となる所定の測定対象物質で構成される。
【００３６】
図６に示すように、プローブ１０の先端部１１が開口部６６から挿入され、先端部１１の先端周縁部がＯリング６３に突き当たると、Ｏリング６３は先端部１１を所定の係止力をもってさらなる挿入を規制する。かかる規制状態で先端部１１が第１シート６４に対して所定の距離に配置されて既知の光学的環境に置かれる。
【００３７】
図６に示す既知の光学的環境に置かれた先端部１１を、Ｏリング６３による所定の係止力を超える挿入力によりさらに押し込むと、Ｏリング６３は先端部１１の前進を許容し、先端部１１が隔壁部材である第１シート６４を突き押すことによって、第１シート６４が破られて、隔壁部材が開放され、図７に示す異なる既知の光学的環境が補正用測定環境構成物６０の内部空間内に展開される。図７に示す光学的環境は、本実施形態においては、遮光された内部空間においてプローブ１０の先端部１１の先端面が第２シート６５に当接した状態によって与えられる。
【００３８】
以上のように第１シート６４は破られるので、第１シート６４は、プローブ１０の先端部１１の挿入圧で破ることが可能な強度（材料の機械的性質及び厚み）で構成される。第２シート６５の強度は問わない。
【００３９】
さらに使用手順に沿って補足説明する。
使用者はプローブ１０の先端部１１を開口部６６に挿入する。この時の挿入性は、先端部１１の外径とプローブ保持孔６１ａの内径とを適度な嵌め合い公差で決定しておき、プローブ１０がプローブ保持孔６１ａから滑り落ちない程度のすきま嵌めにするのが好ましい。
圧入されたＯリング６３と接触する所まで先端部１１を挿入すると、Ｏリング６３との摩擦によりプローブの挿入性が変化する為、使用者は図６に示す既知の光学的環境下による第１の補正用測定を実施できる挿入状態を認識することができる。
本システム１により第１の補正用測定が実行された後、プローブ１０を強く挿入すると、Ｏリング６３が先端部１１によって押し広げられるように変形することで先端部１１が潤滑し、第１シート６４を突き破る。この時、先端部１１は底穴６２ｂ内に挿入されていき、破れた第１シート６４は、底穴６２ｂの内周面と先端部１１の外周面との隙間に逃げ、先端部１１の挿入を妨げることはない。そのため、底穴６２ｂの内径は、先端部１１より上記隙間を残す程度に大径にされる。また、第１シート６４の破れ始めの位置に関係なく、破れた第１シート６４が先端部１１の先端面と第２シート６５との間に挟まれないように、底穴６２ｂの深さＬ１は、底穴６２ｂの直径以上の十分な長さに構成される。
先端部１１が底穴６２ｂの底まで挿入されると、先端部１１が第２シート６５に当接してプローブ１０が止まるため、使用者は図７に示す既知の光学的環境下による第２の補正用測定を実施できる挿入状態を認識することができる。
【００４０】
（補正の手順）
改めて、システム全体の動作を含めて本実施形態の補正用測定環境構成物６０を用いた補正の手順につき説明する。
使用者は、本プローブ１０を使用する際には、まず滅菌された包装からプローブ１０を取り出す。その後、プローブ１０のコネクタ部１２をベースユニット２０に接続する。
ベースユニット２０の接続部２１に、スイッチやセンサなどの検出手段を設けておくことで、ベースユニット２０は、プローブ１０が接続されたことを自動検知し、補正用測定手順が実行される。ここで、本システム１は、音声や画面表示の少なくともいずれか一つによって、使用者に第１の補正用測定の手順を案内する。
使用者は、その案内に従って、補正用測定環境構成物６０が部分３１に収納されている場合は、補正用測定環境構成物６０に先端部１１を挿入し、補正用測定環境構成物６０が部分３２に収納される場合は、補正用測定環境構成物６０に先端部１１が正しく挿入されていることが確認する。これにより先端部１１は、図６に示す既知の光学的環境に置かれる。その後、使用者はベースユニット２０に第１の補正用測定開始の命令を入力し、ベースユニット２０の光源装置からの光がファイバ先端部まで導光され、第１シート６４に向けて出射される。このときプローブ１０に得られた信号光がベースユニット２０内の検出器に入力される。なお、補正用測定環境構成物６０が部分３２に収納される場合は、使用者による挿入作業を省くことができるため、作業性が向上する。補正用測定環境構成物６０が部分３１に収納されている場合は、使用者に挿入作業を担わせて補正用測定のための作業をより確実に意識的に行わせることで注意を喚起し、誤った手順で実施されることを抑制する効果がある。
【００４１】
検出器に信号光が入力されると、ベースユニット２０に備えられる演算処理装置は、得られた光量、分光特性に関する検出器の出力値を記憶保持する。
次に、本システム１は、使用者に第１の補正用測定の完了を表示するとともに、第２の補正用測定の手順を案内する。
使用者は、その案内に従って、プローブ１０の先端部１１を奥まで押し込む。これにより先端部１１は、図７に示す既知の光学的環境に置かれる。その後、使用者はベースユニット２０に第２の補正用測定の開始命令を入力し、ベースユニット２０の光源装置からの光がファイバ先端部まで導光され、第２シート６５に向けて出射される。このときプローブ１０に得られた信号光がベースユニット２０内の検出器に入力される。
【００４２】
検出器に信号光が入力されると、ベースユニット２０に備えられる演算処理装置は、得られた光量、分光特性に関する検出器の出力値を保持する。
同演算処理装置は、第１及び第２の補正用測定より得られた光量、分光特性に関する検出器の出力値と、あらかじめ設定されている値と比較する。ここで、同演算処理装置は、得られたデータが適正な誤差範囲に入っているかの判断、または適正な結果に補正するための補正係数の算出などを行う。これをベースユニット２０内のメモリに保管しておき、その後の測定結果を補正するために用いる。すなわち、同演算処理装置は、補正用測定環境構成物６０による光学的環境で測定した補正用測定結果を保持記憶し、当該補正用測定結果に基づき、あらかじめ定められたアルゴリズムに則って、生体組織を対象とした生体測定結果に補正をかける演算処理を実行する。
また、同演算処理装置は、得られた補正用測定時の出力値があらかじめ設定されている値と大きく異なる場合に、使用者に補正用測定が適切に完結しなかった旨を伝える。これにより、使用者は再度測定を行うか、そのプローブが不良であると判断し、新しいプローブを準備する。
すべての補正用測定が終了したら、本システム１は補正用測定の完了を画像又は音声により表示し、使用者はプローブ１０の先端部１１を補正用測定環境構成物６０から抜き出し、内視鏡の鉗子チャンネルに挿入し、被験者の体内へ導く。
【００４３】
なお、本発明のプローブの体内への挿入形態は、内視鏡に形成されたチャネルを通して行う形態のものであっても良いし、内視鏡とは独立して単体で体内に挿入される形態であってもよい。
また、補正用測定環境構成物６０に対する先端部１１の移動操作をアクチュエータと制御装置を用いて自動で行うようにシステムを構成してもよい。手動で行う場合は一連の補正用測定のための作業が確実に完了するまでの過程を使用者が容易に認識することができるため、補正用測定が未完了の状態で測定作業に移ることを防ぐことができる。自動で行う場合は、補正用測定中に使用者が別の作業に従事することが可能であるため、使用者の作業負担が軽減できる。
【００４４】
蛍光は、広義には、Ｘ線や紫外線、可視光線が照射された被照射物が、そのエネルギーを吸収することで電子が励起し、それが基底状態に戻る際に余分なエネルギーを電磁波として放出するものである。ここでは、励起光（参照光）によって、その波長とは異なった波長の蛍光が戻り光として生じるので、検出器において入力された放射光を波長分光して、これを演算処理装置が上述したように補正し、解析して、発生した蛍光量を測定する。演算処理装置は、この蛍光測定データをデータ記録装置に記録したり、画像表示装置に表示したりするデータ処理を行う。また、内視鏡で撮像された生体組織の表面画像と蛍光測定データとを重ね合わせた画像を合成するデータ処理を行い、またこれをデータ記録装置に記録したり、画像表示装置に表示したりするデータ処理を行う。
【００４５】
〔第２実施形態〕
次に、本発明の第２実施形態につき図８〜図１１を参照して説明する。
本実施形態は、上記第１実施形態における補正用測定環境構成物６０に代え、図８〜図１１に示し以下に説明する補正用測定環境構成物７０を適用したものであり、以下に説明する事項を除き、利用されるシステム及び手順は上記第１実施形態と同様である。
【００４６】
本実施形態の補正用測定環境構成物７０は、第１部品７１と、第２部品７２と、第１シート７４と、第２シート７５とから構成される。
第１部品７１は、プローブ保持孔７１ａと、孔７１ｂと、孔７１ｃと、部品保持孔７１ｄとを中心軸Ｂ上に連続させた段付き貫通孔を有した筒状体である。
孔７１ｂはプローブ保持孔７１ａより小径に形成されており、これによりプローブ係止用の係止構造７１ｅが形成されている。
孔７１ｃは孔７１ｂより大径に形成されている。部品保持孔７１ｄは孔７１ｃより大径に形成されている。
【００４７】
第２部品７２は、段階的に径が大きくなる突起部７２ａと、中間部７２ｂと、頭部７２ｃとを中心軸Ｂ上に連続させた段付き柱状体であるとともに、突起部７２ａの先端面に開口する穴７２ｄが中心軸Ｂを中心に形成されている。
穴７２ｄの底面に第２シート７５が接着により設置される。
部品保持孔７１ｄ側から孔７１ｃの開口端を塞ぐように第１シート７４が配置され、第１シート７４の周縁部が段差部分の面７１ｇに接着により固定される。
第２部品７２の突起部７２ａ及び中間部７２ｂが部品保持孔７１ｄに挿入されて、第１部品７１と、第２部品７２とが一体に組み立てられる。
プローブ保持孔７１ａの孔７１ｂと逆側の開口部は、プローブ１０の先端部１１が挿入される開口部７６を構成する。
【００４８】
第１部品７１及び第２部品７２は、成型により製作され、開口部７６に先端部１１が挿入された図１０及び図１１に示す状態にて内部空間への外光の入射を遮る遮光性を獲得するため、また先端部１１から照射された光の散乱によるノイズを防ぐために、黒色の成形材料が用いられる。
【００４９】
第１シート７４は、先端部１１に図１０に示す既知の光学的環境が与えられる状態において、本システム１による補正用測定の対象となる所定の測定対象物質で構成される。
また第１シート７４は、図１０に示す光学的環境に置かれた先端部１１に対向する隔壁部材に相当する。
第２シート７５は、先端部１１に図１１に示す既知の光学的環境が与えられる状態において、本システム１による補正用測定の対象となる所定の測定対象物質で構成される。
【００５０】
図１０に示すように、プローブ１０の先端部１１が開口部７６から挿入され、先端部１１の先端周縁部が係止構造７１ｅに突き当たると、係止構造７１ｅは先端部１１のさらなる挿入を規制する。かかる規制状態で先端部１１が第１シート７４に対して所定の距離に配置されて既知の光学的環境に置かれる。
【００５１】
図１０に示す既知の光学的環境に置かれた先端部１１の反対側に位置する第２部品７２を、先端部１１を保持する第１部品７１に対して、先端部１１側に向けて押し込むと、突起部７２ａが隔壁部材である第１シート７４を突き押すことによって、第１シート７４が破られて、隔壁部材が開放され、図１１に示す異なる既知の光学的環境が補正用測定環境構成物７０の内部空間内に展開される。図１１に示す光学的環境は、本実施形態においては、遮光された内部空間においてプローブ１０の先端部１１の先端面と、第２シート７５とが所定間隔を隔てて対峙した状態によって与えられる。
【００５２】
以上のように第１シート７４は破られるので、第１シート７４は、プローブ１０の先端部１１の挿入圧で破ることが可能な強度（材料の機械的性質及び厚み）で構成される。第２シート７５の強度は問わない。
【００５３】
さらに使用手順に沿って補足説明する。
使用者はプローブ１０の先端部１１を開口部７６に挿入する。この時の挿入性は、先端部１１の外径とプローブ保持孔７１ａの内径とを適度な嵌め合い公差で決定しておき、プローブ１０がプローブ保持孔７１ａから滑り落ちない程度のすきま嵌めにするのが好ましい。
係止構造７１ｅと接触する所まで先端部１１を挿入すると、係止構造７１ｅにより係止されて、その感覚が使用者に伝わる為、使用者は図１０に示す既知の光学的環境下による第１の補正用測定を実施できる挿入状態を認識することができる。
本システム１により第１の補正用測定が実行された後、第２部品７２の頭部７２ｃを押すことによって、第２部品７２を第１部品７１内に押し込んでいくと、突起部７２ａが前進して第１シート７４を突き破り、やがて頭部７２ｃが第１部品７１の端面７１ｆに当接して止まる。この時、突起部７２ａは孔７１ｃに挿入されていき、破れた第１シート７４は、孔７１ｃの内周面と突起部７２ａの外周面との隙間に逃げ、突起部７２ａの挿入を妨げることはない。そのため、孔７１ｃの内径は、突起部７２ａより上記隙間を残す程度に大径にされる。また、第１シート７４の破れ始めの位置に関係なく、破れた第１シート７４が突起部７２ａの先端面と係止構造７１ｅとの間や、孔７１ｂと穴７２ｄとの間に入り込まないように、孔７１ｃの長さＬ２は、孔７１ｃの直径以上の十分な長さに構成される。
第２部品７２を第１部品７１に押し込むと、頭部７２ｃが第１部品７１の端面７１ｆに当接して第２部品７２が第１部品７１に対して止まるため、使用者は図１１に示す既知の光学的環境下による第２の補正用測定を実施できる挿入状態を認識することができる。
第２部品７２の中間部７２ｂの外周面と、部品保持孔７１ｄの内周面とが摩擦摺動するように、中間部７２ｂの外径と、部品保持孔７１ｄの内径とは嵌め合い公差を持って設定される。
【００５４】
なお、係止構造７１ｅによってプローブの先端部１１の出入光部を遮らないように、係止構造７１ｅの内側に配置される孔７１ｂの内径が選定され、その限りにおいて、十分な面積を持って係止構造７１ｅが先端部１１に突き当たるのが好ましい。
係止構造７１ｅの厚みは、挿入されたプローブの光軸方向に対しては極力薄い構造であることが望ましい。第１シート７４や第２シート７５と先端部１１との距離を縮められるためである。
【００５５】
また、図１０に示す状態における先端部１１と第１シート７４との距離や、図１１に示す状態における先端部１１と第１シート７４との距離は、孔７１ｂ、７１ｃの長さや、穴７２ｄの深さなどを含めた部品７１，７２の形状により設計することができ、等しい距離にすることも、異なった距離にすることもできる。等しい距離にすることが条件となる場合にも、これに応じて等しい距離に設定できるため、補正の精度に影響を与えることなく２種類の補正が実施できる。
また、穴７２ｄの内径は、プローブからの光に干渉しない程度に大きな寸法にすることが望ましい。
【００５６】
本実施形態によれば、補正用測定環境構成物７０にプローブを挿入することで、第１の補正用測定を実施可能な状態にする手順を使用者に行わせ、これと大きく異なった第２部品７２を押し込むという作業により第２の補正用測定を実施可能な状態にするので、本システムの使用者に対して第２の補正用測定を実施可能な状態への移行をより確実に実感させることに効果的であり、誤った手順をより確実に低減させることができる。
【００５７】
〔第３実施形態〕
次に、本発明の第３実施形態につき図１２〜図１５を参照して説明する。
本実施形態は、上記第１実施形態における補正用測定環境構成物６０に代え、図１２〜図１５に示し以下に説明する補正用測定環境構成物８０を適用したものであり、以下に説明する事項を除き、利用されるシステム及び手順は上記第１実施形態と同様である。
【００５８】
本実施形態の補正用測定環境構成物８０は、プローブ１０の先端部１１が挿入される開口部８６を有し、これに連通した内部空間が形成された構成を有する。図１２に示す外形は一例であって補正用測定環境構成物８０の外形は任意である。
図１３に示すように補正用測定環境構成物８０は、第１部品８１と、第２部品８２と、第１シート８４と、第２シート８５とから構成される。
第１部品８１は、プローブ保持孔８１ａと、これより拡幅された矩形空間８１ｂとを中心軸Ｃ上に連続させた段付き貫通孔を有した筒状体である。
第１シート８４及び第２シート８５は、矩形空間８１ｂの軸Ｃ方向に垂直な断面に相当する矩形状に形成されている。
【００５９】
プローブ保持孔８１ａの矩形空間８１ｂへの開口を塞ぐように第１シート８４が配置され、第１シート８４の一辺部が段差部分の面８１ｃ（図１４参照）に接着により固定される。このとき、第１シート８４の他の３辺は矩形空間８１ｂと嵌め合い公差をもって半固定される。また、嵌め合いとともに又は嵌め合いに代えて、他の３辺を着脱容易な弱い接着力をもって半固定しておく。
第２シート８５は、第２部品８２の一面の中央凸部８２ａに接着により固定される。中央凸部８２ａが矩形空間８１ｂに嵌め入れられ、矩形空間８１ｂの周囲の第１部品８１の端面と、中央凸部８２ａの周囲の第２部品８２の端面とが接着により接合され、矩形空間８１ｂの開口端が塞がれて組立てられる。このとき、第２シート８５は矩形空間８１ｂ内に収まり、プローブ保持孔８１ａの中心軸Ｃ上に、第２シート８５が配置される。なお、第１部品８１と第２部品８２との固定は、接着剤を使用せずに、中央凸部８２ａと矩形空間８１ｂとの嵌め合いによるしまり嵌めのみによってもよい。
【００６０】
第１部品８１及び第２部品８２は、成型により製作され、開口部８６に先端部１１が挿入された図１４及び図１５に示す状態にて内部空間への外光の入射を遮る遮光性を獲得するため、また先端部１１から照射された光の散乱によるノイズを防ぐために、黒色の成形材料が用いられる。
【００６１】
第１シート８４は、先端部１１に図１４に示す既知の光学的環境が与えられる状態において、本システム１による補正用測定の対象となる所定の測定対象物質で構成される。
また第１シート８４は、図１４に示す光学的環境に置かれた先端部１１に対向する隔壁部材に相当する。
第２シート８５は、先端部１１に図１５に示す既知の光学的環境が与えられる状態において、本システム１による補正用測定の対象となる所定の測定対象物質で構成される。
【００６２】
図１４に示すように、プローブ１０の先端部１１が開口部８６から挿入され、先端部１１の先端面が第１シート８４に突き当たると、第１シート８４は先端部１１を所定の係止力をもってさらなる挿入を規制する。かかる規制状態で先端部１１が第１シート８４に当接した状態にされて既知の光学的環境に置かれる。
【００６３】
図１４に示す既知の光学的環境に置かれた先端部１１を、第１シート８４による所定の係止力を超える挿入力によりさらに押し込むと、第１シート８４は先端部１１の前進を許容し、先端部１１が隔壁部材である第１シート８４を突き押すことによって、第１シート８４が撓み、隔壁部材が開放され、図１５に示す異なる既知の光学的環境が補正用測定環境構成物８０の内部空間内に展開される。図１５に示す光学的環境は、本実施形態においては、遮光された内部空間においてプローブ１０の先端部１１の先端面が第２シート８５に当接した状態によって与えられる。
【００６４】
さらに使用手順に沿って補足説明する。
使用者はプローブ１０の先端部１１を開口部８６に挿入する。この時の挿入性は、先端部１１の外径とプローブ保持孔８１ａの内径とを適度な嵌め合い公差で決定しておき、プローブ１０がプローブ保持孔８１ａから滑り落ちない程度のすきま嵌めにするのが好ましい。
第１シート８４と接触する所まで先端部１１を挿入すると、第１シート８４との接触によりプローブの挿入性が変化する為、使用者は図１４に示す既知の光学的環境下による第１の補正用測定を実施できる挿入状態を認識することができる。
本システム１により第１の補正用測定が実行された後、プローブ１０を強く挿入すると、第１シート８４が先端部１１によって押し退けられ、図１５に示すように第１シート８４が先端部１１の前方から側方に退避する。この時、先端部１１は矩形空間８１ｂ内に挿入されていき、側方に退避した第１シート８４は、矩形空間８１ｂの内面と先端部１１の外周面との隙間に逃げ、先端部１１の挿入を妨げることはない。そのため、矩形空間８１ｂの少なくとも第１シート８４の固定端側は、上記隙間を残す程度に先端部１１より外側に空間が形成される。また、第１シート６４が先端部１１の先端面と第２シート８５との間に挟まれないように、矩形空間８１ｂの長さＬ３は、側方に退避した第１シート８４の軸Ｃ方向の延在長さＬ４以上の十分な長さに構成される。
先端部１１が第２シート８５に当接することにより、使用者は図１５に示す既知の光学的環境下による第２の補正用測定を実施できる挿入状態を認識することができる。
【００６５】
なお、先端部１１と第１シート８４とを所定距離隔てた状態で第１の補正用測定を実施する場合には、上記第１実施形態で説明したＯリングによる係止構造を第１シート８４の手前（開口部８６寄り）に構成することで良好に実施できる。
【００６６】
〔第４実施形態〕
次に、本発明の第４実施形態につき説明する。
本実施形態は、上記第３実施形態における補正用測定環境構成物８０における第１シート８４を弾性回復力により展張して閉塞状態に回復可能な構成としたものであり、以下に説明する事項を除き、補正用測定環境構成物８０の構成、利用されるシステム及び手順は上記第３実施形態と同様である。
【００６７】
まず、第１シート８４の少なくとも図１５に示す状態において屈曲する部分を必要な弾性特性を持つように構成する。例えば、所定の測定対象物質からなる可撓性のシートを弾性材料よりなる基材に貼付した構成としてもよい。
図１５に示すように先端部１１が補正用測定環境構成物８０の奥まで挿入され、第２シート８５を測定対象とした補正用測定が可能な状態で、図１に包装用トレイの部分３２に示した補正用測定環境構成物８０を収納して包装し、プローブ一式を使用者に提供する。  かかる状態においては、隔壁部材である第１シート８４は、補正用測定環境構成物８０の内部空間内で一の光学的環境に置かれた先端部１１の側方に先端部１１によって弾性変形を伴って押し退けられている。
この包装時のままの状態、すなわち、図１５に示す第２シート８５を測定対象として第１の補正用測定を行うこととする。
第１の補正用測定の実行後、使用者がプローブ１０を図１４に示す状態まで引き出す。使用者にとってその引き出し量が分かるように、先端部１１の外周面の図１４に示す状態において開口部８６から露出する部位に目印を設けておくことで容易に実施できる。
図１５に示す状態から、使用者がプローブ１０を図１４に示す状態まで引き出す過程において、第１シート８４は、先端部１１の後退移動によりその弾性回復力により展張して先端部１１の前方を遮蔽する。これよって、図１５とは異なる一の光学的環境が図１４に示すように展開される。この光学的環境で第２の補正用測定を実行する。その後、使用者がプローブ１０を補正用測定環境構成物８０から完全に抜き出して、生体組織の測定に使用する。
【００６８】
本実施形態の場合は、補正用測定環境構成物８０がプローブ１０の先端部１１の保護キャップとして機能するとともに、使用者にとっては、プローブの通常の使用準備作業としての保護キャップからプローブを抜き出すという動作の中で一旦止めるだけで、補正用測定を実施できるため、使用者の作業性が向上する。
また、本実施形態のように、隔壁部材（第１シート８４）がその弾性回復力により展張して閉塞状態に回復可能な構成とする場合には、図１４に示す第１シート８４を測定対象とした状態での補正用測定を先に行い、図１５に示す第２シート８５を測定対象とした状態での補正用測定を後に行うか、前者を後に後者を先に行うかの順序は問わない。
上記第１及び第２実施形態では、隔壁部材である第１シート６４，７４を破った後は、第１シート６４，７４を対象とした補正用測定を実施できない。
これに対し本実施形態にあっては、図１４及び図１５に示すいずれの状態も、プローブ１０の先端部１１の送り動作により繰り返し復元できるので、奥側の第２シート８５を対象とした補正用測定の後であっても、いずれの補正用測定も繰り返し実施することができる。
【００６９】
以上の実施形態においては、励起光を測定対象部位へ照射するとともに、この励起光に起因して生じる蛍光を受光することとして説明したが、照射光に起因して生じる散乱光またはラマン散乱光を受光することとしてもよい。これらの場合であっても、生体組織の変性や癌などの疾患状態の診断を行うことができる。
また、先端部１１に、撮像素子を設置して、受光した信号光を電気信号に変換して、先端部１１からプローブ基端まで、さらにベースユニット２０の検出器まで電気信号ケーブルにより伝送する構成を採用しても、実施可能であることは勿論である。すなわち、どの段階でどのような形態の信号にされるかは本発明の実施に影響する事項ではない。
【００７０】
また、以上の実施形態においては、第１の補正用測定及び第２の補正用測定における光学的環境に所定の測定対象物を設置したが、所定の測定対象物を設置せず、単に外部から遮光された空間（暗室）にプローブ１０の先端部１１を置くことをもって先端部１１に既知の光学的環境を与えても良い。この構成は、上述した第２種の補正に適用できる。
【００７１】
また、以上の実施形態においては、第１の補正用測定と第２の補正用測定とからなる２種の補正用測定を行う構成につき説明したが、３種以上の補正用測定が可能、すなわち、それぞれ既知で異なる３以上の光学的環境を先端部１１に与えるように、隔壁部材を増設して隔壁部材により内部空間を３以上に仕切るようにすれば実施可能である。
【００７２】
また、以上の実施形態においては、図３(a) ，(a-1)，(b)及び(d)に例示した先端方向に照射光を照射し、先端方向からの放射光を受光する形態のプローブについて実施する場合につき説明したが、図３(c)に例示した側方に照射光を照射し、側方からの放射光を受光する形態のプローブについても本発明は実施可能である。その場合、例えば、上記第１実施形態において、第１シート６４を排除又は単に隔壁部材として残し、プローブ１０の先端部１１の側方に各補正用測定のための必要な遮光された空間や測定対象物質を設置することで実施できる。また、上記第３実施形態において、第１シート８４を単に隔壁部材として残し、プローブ１０の先端部１１の側方に各補正用測定のための必要な遮光された空間や測定対象物質を設置することで実施できる。
【符号の説明】
【００７３】
１    光学測定システム
１０  プローブ
１１  先端部
１２  コネクタ部
１２ａ 面（接続時の上面）
１３  ケーブル部
１４（ａ〜ｇ）       導光用光ファイバ
１５   レンズ
１６   光学部品
１７   外装チューブ
２０  ベースユニット
３０  包装用トレイ
６０  補正用測定環境構成物
６１   第１部品
６１ａ プローブ保持孔
６１ｂ Ｏリング保持孔
６２   第２部品
６２ａ 部品連結孔
６２ｂ 底穴
６２ｃ 面（第１シート貼付面）
６３   Ｏリング
６４   第１シート（隔壁部材）
６５   第２シート
６６   開口部（プローブ挿入用）
７０   補正用測定環境構成物
７１   第１部品
７１ａ プローブ保持孔
７１ｂ 孔
７１ｃ 孔
７１ｄ 部品保持孔
７１ｅ 係止構造
７１ｆ 端面
７１ｇ 面（第１シート貼付面）
７２   第２部品
７２ａ 突起部
７２ｂ 中間部
７２ｃ 頭部
７２ｄ 穴
７４   第１シート（隔壁部材）
７５   第２シート
７６   開口部（プローブ挿入用）
８０   補正用測定環境構成物
８１   第１部品
８１ａ プローブ保持孔
８１ｂ 矩形空間
８１ｃ 面（第１シート貼付面）
８２   第２部品
８２ａ 中央凸部
８４   第１シート（隔壁部材）
８５   第２シート
８６   開口部（プローブ挿入用）
【図１】
0005598344.tif 000002
【図２】
0005598344.tif 000003
【図３】
0005598344.tif 000004
【図４】
0005598344.tif 000005
【図５】
0005598344.tif 000006
【図６】
0005598344.tif 000007
【図７】
0005598344.tif 000008
【図８】
0005598344.tif 000009
【図９】
0005598344.tif 000010
【図１０】
0005598344.tif 000011
【図１１】
0005598344.tif 000012
【図１２】
0005598344.tif 000013
【図１３】
0005598344.tif 000014
【図１４】
0005598344.tif 000015
【図１５】
0005598344.tif 000016